(57)【要約】【課題】２つの木製部材を強固に連結することができる木製部材の連結装置を提供すること。【解決手段】一方の木製部材には頭部を有するネジを固定し、他方の木製部材に形成された凹部には、前記ネジの頭部が挿入できる丸孔と、この丸孔に連続する丸孔の径よりも狭い径の長孔を形成した合成樹脂により成形された連結具を嵌合させ、前記一方の木製部材に固定されたネジの頭部を連結部材の丸孔に嵌合させた状態で他方の木製部材をスライドさせることによってネジの頭部で長孔の側壁部を押し広げて連結具を拡張させ、同連結具を凹部の側壁に密着させて２部材を連結するようにしたことを特徴とする。【選択図】図３
2016211718.tif 000002
【特許請求の範囲】
【請求項１】
一方の木製部材には頭部を有するネジを固定し、他方の木製部材に形成された凹部には、前記ネジの頭部が挿入できる丸孔と、この丸孔に連続する丸孔の径よりも狭い径の長孔を形成した合成樹脂により成形された連結具を嵌合させ、前記一方の木製部材に固定されたネジの頭部を連結部材の丸孔に嵌合させた状態で他方の木製部材をスライドさせることによってネジの頭部で長孔の側壁部を押し広げて連結具を拡張させ、同連結具を凹部の側壁に密着させて２部材を連結するようにしたことを特徴とする木製部材の連結装置。
【発明の詳細な説明】
【技術分野】
【０００１】  本発明は、２つの木製部材を強固に連結することができる木製部材の連結装置に関するものである。
【背景技術】
【０００２】
【特許文献１】特開２００２−４４９７号公報
【発明の開示】
【発明が解決しようとする課題】
【０００３】  従来から、２つの木製部材を連結する方法として、両端が尖った釘を使用して両部材を連結乃至接合する方法は特開２００２−４４９７号公報等に記載される通り既に公知である。【０００４】  この方法では両端が尖った釘を設けたプレートの厚みだけの隙間ができるので、平面同士の接合には外部から見えることなく体裁は損なわれることがないが、端面同士の接合では隙間が見えて体裁が悪いという場合がある。【０００５】例えば、引戸の収納部である戸袋を設ける機能を設けた木製の鴨居の場合、引戸の上端が嵌る溝は常に下面側になければならないので、室内側から見て戸袋を設ける位置が右側、左側によって鴨居の広幅部分と狭幅部分ができるような平面Ｌ字型の形状にする必要があった。【０００６】  そこで、従来は下面に引戸の上端が嵌る溝を形成した長方形の鴨居材を施工現場で戸袋を設ける位置の違いによって広幅部分と狭幅部分ができる平面Ｌ字型となるように切断して対応していた。
【発明の目的】
【０００７】  本発明は、狭幅の鴨居材に別の鴨居材をその取り付け位置を変えることによって戸袋を設ける位置が右側であっても左側であっても施工現場で自在に変更できるノックダウン式の鴨居等を構成することができる木製部材の連結装置に関するものである。
【課題を解決するための手段】
【０００８】  本発明に係る木製部材の連結装置は、一方の木製部材には頭部を有するネジを固定し、他方の木製部材に形成された凹部には、前記ネジの頭部が挿入できる丸孔と、この丸孔に連続する丸孔の径よりも狭い径の長孔を形成した合成樹脂により成形された連結具を嵌合させ、前記一方の木製部材に固定されたネジの頭部を連結部材の丸孔に嵌合させた状態で他方の木製部材をスライドさせることによってネジの頭部で長孔の側壁部を押し広げて連結具を膨張させ、同連結具を凹部の側壁に密着させて２部材を連結するようにしたことを特徴とするものである。
【発明の作用】
【０００９】  本発明に係る木製部材の連結装置は、一方の木製部材に固定のネジの頭部が他方の木製部材に形成された凹部に嵌合される連結具の拡張により一方の木製部材のネジと他方の木製部材が連結具を介して一体化して強固に連結される。
【実施例】
【００１０】  図１は、本発明装置を構成する連結具の斜視図、図２は、同連結具の平面図、図３は、図２のＡ−Ａ線における縦断面図、図４は、図２のＢ−Ｂ線における縦断面図、図５は、ネジの斜視図、図６は、２つの木製部材を連結させる状態を表す斜視図、図７、８は、同連結具とネジの関係を表す説明図、図９は、連結具の他の実施例の斜視図、図１０は、図９の連結具の平面図、図１１は、同連結具による連結状態の断面詳細図、図１２は、本発明装置による引戸の収納部である戸袋を設ける機能を設けた木製の鴨居の場合を表す斜視図である。【００１１】  図示において、１は、本発明装置を構成する一方の木製部材の凹部に嵌められる連結具であって、合成樹脂で成形され、後述する他方の木製部材に固定されたネジの頭部の作用によって拡張して木製部材の凹部側壁に食い込み、２つの木製部材が連結具１とネジを介して連結されるようになっている。【００１２】  上記の連結具１の具体的構成は、大径の孔２ａと小径の長孔２ｂを連続的に穿った基板２の両側部下方に多数の突起２ｃ・・・２ｃを形成した側壁２−１、２−１を形成した構造であって、一方の木製部材Ａの端面に形成された連結具１の平面形状と略同形の凹部ｈに嵌めこまれて使用されるものである。【００１３】  ３は、突出量を規制するフランジ３−１を設けたネジであって、他方の木製部材Ｂに締着した後、ネジ３の頭部３−２を前記連結具２の大径の孔２ａに差し入れるような構成となっている。【００１４】  図１２においては、木製部材Ａ、Ｂは鴨居構成体という。【００１５】次に、本発明装置による木製部材の連結方法を説明すれば、先ず、一方の鴨居構成体たる木製部材Ａの側端面に連結具１を嵌合させることができる凹部ｈを所定個所に複数個穿つておき、同凹部ｈに対応する他方の木製部材Ｂの側端面に取り付けておいたネジ３の頭部３−１を連結具１の大径の孔２ａに嵌め込み、木製部材Ｂを左又は右方向にスライドさせてネジ３の頭部３−１を大径の孔２ａの位置から小径の長孔２ｂに移動させると、基板２の両側壁２−１、２−１が外側に広がって突起２ｃが凹部ｈの側壁に食い込んで木製部材Ａ、Ｂが強固に連結される。【００１６】  図９の連結具１の場合、基板２の両側壁２−１、２−１に半円形の突起２ｄ、２ｄが木製部材Ａに穿った孔Ｄに嵌合させるようにすれば、尚一層の強固な連結状態が得られる。【００１９】  このようにして図１２のように狭幅の鴨居部分と広幅の鴨居部分をその取り付け位置を変えることによって戸袋を設ける位置が右側であっても左側であっても施工現場で自在に変更できるノックダウン式の鴨居を構成することができるものである。
【発明の効果】
【００２０】  本発明に係る木製部材の連結装置によれば、一方の木製部材に固定のネジの頭部が他方の木製部材に形成された凹部に嵌合される連結具の拡張により一方の木製部材のネジと他方の木製部材が連結具を介して一体化して強固に連結されるものであるから、接着剤等のように経年効果によって連結状態が劣化して不測の事故が生じるようなことがなく、例えば、狭幅の鴨居材に別の鴨居材をその取り付け位置を変えることによって戸袋を設ける位置が右側であっても左側であっても施工現場で自在に変更できるノックダウン式の鴨居を構成することができるものである。
【００２１】  尚、連結具を極めて摩擦係数の高い合成樹脂で成形し、連結具の嵌合凹部の側壁と連結具との密着度を極めて高くすることで、凹部の側壁に食い込む突起を省略できるものである。
【図面の簡単な説明】
【００２２】
【図１】本発明装置を構成する連結具の斜視図である。
【図２】同連結具の平面図である。
【図３】図２のＡ−Ａ線における縦断面図である。
【図４】図２のＢ−Ｂ線における縦断面図
【図５】ネジの斜視図
【図６】２つの木製部材を連結させる状態を表す斜視図である。
【図７】〜
【図８】同連結具とネジの関係を表す説明図である。
【図９】連結具の他の実施例の斜視図である。
【図１０】図９の連結具の平面図である。
【図１１】同連結具による連結状態の断面詳細図
【図１２】本発明装置による引戸の収納部である戸袋を設ける機能を設けた木製の鴨居の場合を表す斜視図である。
【符号の説明】
【００２３】  １          連結具  ２          基板  ３          ネジ
【図１】
2016211718.tif 000003
【図２】
2016211718.tif 000004
【図３】
2016211718.tif 000005
【図４】
2016211718.tif 000006
【図５】
2016211718.tif 000007
【図６】
2016211718.tif 000008
【図７】
2016211718.tif 000009
【図８】
2016211718.tif 000010
【図９】
2016211718.tif 000011
【図１０】
2016211718.tif 000012
【図１１】
2016211718.tif 000013
【図１２】
2016211718.tif 000014